(57)【要約】【課題】複雑な機構や制御等を組み込むことなく、より完全な形で名刺を作成するカード裁断装置を提供する。【解決手段】用紙を裁断して、複数葉のカードを作成するカード裁断装置に関する。特に、用紙の搬送路を挟み、互いに逆方向に回転する一対の回転軸17、18を備える。一方の回転軸17に複数個の第１回転刃21a、21b、21cを配するとともに、他方の回転軸18に各第１回転刃と周縁同士が互いに摺り合うように、複数個の第２回転刃24a、24b、24c、24dを配して、スリッター裁断部を構成する。そしてスリッター裁断部の外側で用紙の夫々の端を押さえるローラ51を少なくとも一方の回転軸18に設けた。【選択図】図１
0003156322.tif 000002
【実用新案登録請求の範囲】
【請求項１】
用紙を裁断して、複数葉のカードを作成するカード裁断装置であって、
用紙を供給する搬送路を挟み、互いに逆方向に回転し、搬送方向に対して直交する方向に軸方向を配した一対の回転軸と、
前記一対の回転軸の内、一方の回転軸の軸方向に、所定の間隔を保持して配した複数個の第１回転刃と、
前記一対の回転軸の内、他方の回転軸の軸方向に配し、前記各第１回転刃との周縁同士が互いに摺り合ってスリッター裁断部を構成する複数個の第２回転刃と、
前記スリッター裁断部によって用紙を裁断する際、前記スリッター裁断部の外側で用紙の夫々の端を押さえるローラを少なくとも一方の前記回転軸に設けたことを特徴とするカード裁断装置。
【請求項２】
前記スリッター裁断部の外側で用紙の端を押さえる前記ローラは、弾性部材で構成されたことを特徴とする請求項１に記載のカード裁断装置。
【請求項３】
前記第１回転刃は厚刃であって、前記一方の回転軸の軸方向の内側で前記第２回転刃と周縁同士を互いに摺接させ、かつ前記一方の回転軸の軸方向の外側で前記ローラと円筒形状面同士を互いに摺接させ、これらの間に用紙の端を挟持することを特徴とする請求項１又は２に記載のカード裁断装置。
【考案の詳細な説明】
【技術分野】
【０００１】
本考案は、用紙を裁断して、複数葉のカードを作成するカード裁断装置に関する。
【背景技術】
【０００２】
近年、名刺の需要の形態が多様化し、これに合わせて、名刺のデザインは単純ではなくなり、納期も短縮化してきている。この一環として、自前でも名刺を作成できるように、カード裁断装置が提供されている（例えば、特許文献１、２参照）。多くのタイプでは、まず、プリンターを用いて、１枚の用紙に複数葉の名刺に対応する部分を予め印刷または印字して、次に、カード裁断装置を用いて、準備された用紙を横方向と縦方向に裁断して、複数葉の名刺を作成している。例えば、図５に示すカード裁断装置Ａは、横方向裁断部１１を備えており、上下一対の切断刃１１ａ、１１ｂを相対的に上下動させることで、用紙２を搬送方向に直交する横方向に裁断している。さらに、カード裁断装置Ａは、縦方向裁断部１５を備えており、上下一対の回転刃２１、２４を互いに摺接させながら逆方向に回転させることで、用紙２を搬送方向に沿って縦方向に裁断している。そして、図６に示すように、用紙２の各横切断線３５と各縦切断線３６を裁断して、複数葉の名刺３１を作成している。尚、図５に示したカード裁断装置Ａは、特許文献１の図１に開示されたものと同じである。特許文献１の出願人は、本願考案の出願人と同一であり、特許文献１に開示された内容は、本明細書に参考として包含されている。
【０００３】
上記従来技術は、用紙２を横方向と縦方向に裁断して、複数葉の名刺３１を作成するのに適した構成となっている。しかしながら、図６において円で囲った箇所、即ち、裁断後の名刺３１の側部側であって、搬送方向後方の隅に、外側に凸状に突出する角（つの）Ｘを生じさせることがあった。特に、図６に示した、縦方向に名刺３１をじかに隣接させるシングルカットの場合、最外部の名刺３１の後方の隅で角Ｘを生じさせる傾向があった。また、図７に示すように、縦方向に隣接する名刺３１の間に隙間を設けるダブルカットの場合、各名刺３１の後方の隅で角Ｘを生じさせる傾向があった。図６、７では、説明を容易にするため、角Ｘについて誇張して示しているが、通常、角Ｘの大きさはより微小である。それ故、後処理に手間取るので、多くの場合、後処理を省いている。しかし、特に名刺３１を作成する場合、名刺３１が持ち主の社会的な立場を示す道具であることに鑑みて、より完全な形で名刺３１を作成することが求められていた。しかしながら、このような後処理を行うために、カード裁断装置Ａ内にさらなる機構や制御等を組み込むことは、カード裁断装置Ａの構成を複雑化させ、コスト高にするので、大きな課題とされていた。
【特許文献１】特開２００５−３４９６２号公報
【特許文献２】特開平１０−１４６７９６号公報
【考案の開示】
【考案が解決しようとする課題】
【０００４】
本考案は、上記従来技術に鑑み、複雑な機構や制御等を組み込むことなく、より完全な形で名刺を作成するカード裁断装置を提供することを目的とする。
【課題を解決するための手段】
【０００５】
本考案の課題は、本明細書に添付した実用新案登録請求の範囲に記載した考案により達成することができる。
（１）即ち、本考案では、用紙を裁断して、複数葉のカードを作成するカード裁断装置であって、
用紙を供給する搬送路を挟み、互いに逆方向に回転し、搬送方向に対して直交する方向に軸方向を配した一対の回転軸と、
前記一対の回転軸の内、一方の回転軸の軸方向に、所定の間隔を保持して配した複数個の第１回転刃と、
前記一対の回転軸の内、他方の回転軸の軸方向に配し、前記各第１回転刃との周縁同士が互いに摺り合ってスリッター裁断部を構成する複数個の第２回転刃と、
前記スリッター裁断部によって用紙を裁断する際、前記スリッター裁断部の外側で用紙の夫々の端を押さえるローラを少なくとも一方の前記回転軸に設けたことを特徴とするカード裁断装置が、最も主要な特徴となしている。
（２）さらに、本考案の好適な実施形態では、前記スリッター裁断部の外側で用紙の端を押さえる前記ローラは、弾性部材で構成されたことを特徴とする。
（３）さらに、本考案の好適な実施形態では、前記第１回転刃は厚刃であって、前記一方の回転軸の軸方向の内側で前記第２回転刃と周縁同士を互いに摺接させ、かつ前記一方の回転軸の軸方向の外側で前記ローラと円筒形状面同士を互いに摺接させ、これらの間に用紙の端を挟持することを特徴とする。
【考案の効果】
【０００６】
本考案のカード裁断装置は、基本的には以上のように構成されるので、特に、次の効果を奏することができる。
（１）即ち、本考案は、スリッター裁断部の外側で用紙の夫々の端を押さえるので、裁断時に、用紙の両側外端を押さえることにより、用紙の幅方向全体にわたって所定の張力を及ぼすことができる。これによって、用紙の端部において、たわみが生ずることがないので、従来、問題とされていた角が生じることを防ぐことができる。
さらに、ローラの円筒形状面から用紙の表面を常に一定の圧力で圧接できるので、裁断時に所定の張力を用紙に及ぼすのに好適である。また、ローラを回転軸に取付けるだけで、搬送中の用紙を転圧支持する構成が実現可能なので、既存のカード裁断装置への適用が容易となる。
（２）さらに、ローラに弾性部材を用いた場合、用紙に及ぼす押圧力を一層高めることができる。
（３）さらに、既存の第１回転刃を用いて、第２用紙押さえ部を構成する場合、一方の回転軸にだけ新たにローラを加えれば足りるため、部品点数を最小にできる。また、第１回転刃の周面を利用して用紙を挟持するので、縦方向の裁断線に近接して用紙の端を押圧して、用紙のズレを防止することができる。また、従来のカード裁断装置の内部構成をほとんど代えることなく、既存の設備を有効活用できる。
他、本考案のカード裁断装置のさらなる長所は、以下の明細書の説明や、添付した図面から示される。
【考案を実施するための最良の形態】
【０００７】
初めに、再度図５を参照して、本考案に包含される特許文献１に開示されたカード裁断装置Ａの全体概要について説明する。カード裁断装置Ａは、本体の入口側に給紙台１を有し、ここから、用紙２をカード裁断装置Ａ内に供給している。この本体内部には、一点破線で示すように、所定の経路に沿って、用紙２を案内する搬送路が設けられている。さらに、この搬送路に沿って送られる用紙２に対して、少なくとも二つ以上の複数箇所で横方向に裁断する裁断部１１を有している。また、搬送路に沿って送られる用紙２に対して、少なくとも二つ以上の複数箇所で縦方向に裁断する裁断部１５を有している。これら裁断部１１、１５によって、図６、７に示したように、用紙２の各横切断線３５と各縦切断線３６を裁断して、複数葉のカード３１を作成する。尚、例示した実施形態では、横方向、縦方向の順に用紙２を裁断しているが、他の実施形態では、縦方向、横方向の順に用紙２を裁断することは可能である。また、図５に示した実施形態では、一つの裁断部１１を用いて、順番に、横方向の切断を一箇所づつ行っているが、他の実施形態では、二つ又は複数の裁断部１１を用いて、横方向の切断を、同時に２箇所又は複数箇所から行うことは可能である。
【０００８】
尚、本考案では、任意の種類のカードを作成することができ、例えば、名刺、種々の会員カード、病院等の診察カード等の、各種カードを作成できる。以下、具体例として、カードとして名刺を作成する場合について説明する。図６、７に示したように、１枚の用紙２から複数葉の名刺３１を作成する場合、通常、用紙２の表面に、前もって複数葉の名刺３１の内容を印刷または印字している。例えば、図６、７に示すように、用紙２の表面に、２列かつ５行で、全部で１０葉の名刺３１について印刷または印字する。用紙２として、再生紙を用いることができるが、他、非木材紙や、さらに他の材質から作成されたものを用いてもよい。
【０００９】
以上のように用意された用紙２は、給紙台１からカード裁断装置Ａの本体内に送られるが、例えば、給紙台１に複数枚積層して載置された用紙２を、給紙台１下流側に配したピックアップローラ３により１枚づつ取り出して、給紙ローラ４に搬送する。給紙ローラ４は重送防止パッド６に圧接した状態で配設されており、給紙ローラ４に搬送された用紙２が誤って重送されてきたときには、給紙ローラ４と重送防止パッド６の摩擦力の相違によって重送の防止を行うことができる。給紙ローラ４によって用紙２を１枚だけ確実に下流側に配置した第１搬送ローラ７と第１搬送加圧ローラ８間に搬送する。給紙ローラ４と第１搬送ローラ７間に第１検出センサＳ１を配設して、給紙ローラ４で搬送された用紙２の側端部が、所定量以上搬送方向から外れているか否かを検出してもよい。尚、図示した実施例では、給紙台１を用いて複数枚の用紙２をカード裁断装置内に供給しているが、給紙台１の代わりに用紙を複数枚積載した給紙カセットを用いることもできる。
【００１０】
第１搬送ローラ７と第１搬送加圧ローラ８とによる搬送を制御するため、この搬送路にセンサを組み込むことができる。例えば、第１搬送ローラ７と第１搬送加圧ローラ８の下流側に第２センサＳ２を配設して、用紙２を予め設定した搬送量毎に横方向裁断部１１内に間欠搬送するように、用紙２の先端部を検出してもよい。横方向裁断部１１では、搬送路に沿って送られる用紙２に対して、少なくとも二つ以上の複数箇所で、横方向に裁断する。この裁断部１１は、例えば、上下一対の切断刃１１ａ、１１ｂを含み、第１搬送ローラ７によって間欠搬送された用紙２を、同第１搬送ローラ７の間欠駆動制御に同期して、上下一対の切断刃１１ａ、１１ｂにより搬送方向に直交する横方向に裁断を行う。上下一対の切断刃１１ａ、１１ｂは、一方の切断刃が他方の切断刃に対して上下動し、他方の切断刃が固定された構成となっている。
【００１１】
再度、図６、７を参照して、横方向の裁断について詳述する。複数葉のカード部３１が印刷または印字された用紙２は図６、７で示す横切断線３５が上述の横方向裁断部１１内に配設した上下一対の切断刃１１ａ、１１ｂの切断位置に来るように、第１搬送ローラ７によって間欠搬送が行われて位置決めされる。切断位置が位置決めされた後に、上述の上下一対の切断刃１１ａ、１１ｂによって図６、７で示す横切断線３５に沿っての切断が行われる。切断後、次の横切断線３５が上下一対の刃の切断位置に来るように、第１搬送ローラ７によって間欠搬送が行われて位置決めされ、上下一対の切断刃１１ａ、１１ｂによる切断が順次行われる。最初に第１搬送ローラ７による間欠搬送で横方向裁断部１１内に搬送された用紙２は、先端部側の余白３３を横切断線３５に沿って切断され、余白３３は横方向裁断部１１の下方に配した図示せぬ余白箱に落下して収納される。余白３３を切断された用紙２は第１搬送ローラ７によって次の間欠搬送が行われ、第２搬送ローラ１２、１２'間に狭持されて搬送される。次の横切断線３５が上下一対の切断刃１１ａ、１１ｂの切断位置に位置決めされると、第１搬送ローラ７及び第２搬送ローラ１２の搬送が停止されて、横切断線３５に沿って切断が行われる。切断されて分離した用紙２のカード部は、第２搬送ローラ１２によって第３搬送ローラ１３に送られる。分離したカード部を切断して残った用紙２は、次の横切断線３５が上下一対の切断刃１１ａ、１１ｂの切断位置に来るように第１搬送ローラ７によって間欠搬送されて位置決めが行われる。図７に示すように次のカードとの間に前後方向の余白３３が存在する場合には、次の切断で前後方向の余白３３の切断が行われると、切断された前後方向の余白３３は、図示せぬ余白箱に落下して収納される。
【００１２】
再度、図５を参照すると、第３搬送ローラ１３と第３搬送用加圧ローラ１３'とによる搬送を制御するため、この搬送路にセンサを組み込むことができる。例えば、第２搬送ローラ１２と第２搬送用加圧ローラ１２'の下流側に第３センサＳ３を配設して、横方向に裁断された用紙２を予め設定した搬送量毎に縦方向裁断を行うスリッター裁断部１５内に間欠搬送するように、用紙２の先端部を検出してもよい。スリッター裁断部１５内には、図５に示すように搬送路を挟んで互いに逆方向に回転する第１回転刃２１と第２回転刃２４とが切断する縦切断線３６（図６、７参照）の数だけ複数配設されている。次に、図１を参照して、本考案に関するスリッター裁断部１５についてより詳しく説明する。尚、図１の中央の鎖線に沿った断面図が、図５に相当する。
【００１３】
スリッター裁断部１５を構成するため、図１に示すように、第１回転軸１７と第２回転軸１８が、これらの両端部側から夫々回転自在に軸支されている。少なくともいずれか一方の端部は、モータ駆動されるため、モータの出力軸から動力を受けるように接続されている。この際、モータの出力軸の回転数を制御するため、任意の減速機構を介在させていてもよい。これとは反対側の第１回転軸１７と第２回転軸１８の端部には、夫々、対に噛合するように歯車１９ａ、１９ｂが取付けられている。これらは、例えば、平歯車やはす歯歯車であり、一方の回転軸をモータによって回転駆動すると同時に、他方の回転軸を反対方向に回転駆動させている。さらに、歯車１９ａ、１９ｂに他の歯車を取付けて、別の回転軸を同時に回転駆動させてもよい。各第１回転刃２１は、第１回転軸１７に取付けられており、切断する縦切断線３６に対応した位置に配されている。また、第２回転刃２４は、第２回転軸１８に取付けられており、第１回転刃２１との間で縦切断線３６に沿っての切断が行えるように、第１回転刃２１と周縁同士が互いに摺り合うように配されている。
【００１４】
図１に示した実施形態では、第１回転刃２１は、例えば三つの厚刃２１ａ〜２１ｃに形成されて、夫々、ボス２３を介して第１回転軸１７と一体回転するように取付けられている。第２回転刃２４は、例えば四つの薄刃２４ａ〜２４ｄに形成されて、夫々、ボス２６を介して第２回転軸１８と一体回転するように取付けられている。各第２回転刃２４は、弾性体３７を用いて、第１回転刃２１に向って軸方向に付勢されながら、第１回転刃２１と周縁同士を互いに摺接させている。この場合、２列で複数葉の名刺３１を形成する（図６、７参照）。しかしながら、他の実施形態では、異なる態様で複数葉の名刺３１を形成するように、第１回転刃２１と第２回転刃２４を異なる数で備えていてもよい。また、第１回転刃２１は厚刃であるので、この円筒形状面から、裁断時に用紙２の表面を押圧接できる。この厚さは、実施形態に応じて代えることができる。
【００１５】
図２を参照すると、図１に示した右端部側の第１回転刃２１ｃと第２回転刃２４ｄの周辺部について拡大して示している。また、図３を参照すると、第２回転刃２４ｄを支持するサブアセンブリ４０について例示している。図３に例示した形態では、第２回転刃２４ｄを付勢する弾性体３７は螺旋状のスプリングであって、円筒形状のスプリングホルダー４１の周面上に取付けられている。スプリング３７の一方の端部はホルダースペーサ４３によって固定され、他方の端部はスプリングホルダー４１の円形状の縁部に対して係合されている。スプリングホルダー４１の円形状の縁部は、反対側から第２回転刃２４ｄの側面と当接している。さらに、第２回転刃２４ｄの反対側の側面に薄刃ホルダー４５を配している。薄刃ホルダー４５は円筒形状の本体を有し、スプリングホルダー４１の内部に嵌合して、スプリングホルダー４１と薄刃ホルダー４５の間に第２回転刃２４ｄを挟持させている。薄刃ホルダー４５には、ピン４７やネジ４９等を取付けてもよい。このようにサブアセンブリ４０を構成されることで、図２に示すように、スプリング３７の付勢力によって、第１回転刃２１ｃと第２回転刃２４ｄが周縁同士を互いに摺り合せている。
【００１６】
図１及び図６、７を参照すると、左右の余白３４は、第１回転刃２１の片刃の厚刃２１ａと第２回転刃２４の薄刃２４ａ及び第１回転刃２１の片刃の厚刃２１ｃと第２回転刃２４の薄刃２４ｄとにより切断され、カード間の余白３４は、第１回転刃２１の両刃の厚刃２１ｂと、その両側の刃先に夫々摺接する第２回転刃２４の薄刃２４ｂ、２４ｃとにより切断される。そして、これら裁断を行う際、第１回転刃２１と第２回転刃２４からなる各スリッター裁断部の間に、送りローラを兼ねた第１用紙押さえ部３８を有している。具体的には、第１回転軸１７上の第１回転刃２１ａと２１ｂ、２１ｂと２１ｃの間に一対の幅広のローラ３８を配設するとともに、これらと対応して、第２回転軸１８上の第２回転刃２４ａと２４ｂ、２４ｃと２４ｄの間に一対の幅広のローラ３８を配設している。第１回転軸１７上のローラ３８と第２回転軸１８上のローラ３８は上下で相対し、裁断時にこれらの間に用紙２を通し、確実に支持して、搬送させる。図２を参照すると、点線で示すラインに沿って、上下のローラ３８、３８の間で用紙２が挟持されながら、搬送されていく状態が示されている。さらに、これらローラ３８、３８によって、スキュー等の防止にも役立つようにしている。各ローラ３８は円筒形状に形成され、摩擦係数の高い周面によって用紙を支持すると共に、裁断時に用紙２の表面に均一に張力を及ぼしている。このため、用紙２の弛みを防ぎながら搬送可能となる。
【００１７】
但し、第１用紙押さえ部３８の効果は、第１回転刃２１と第２回転刃２４からなる各スリッター裁断部の間に限定されており、具体的には、第１回転刃２１ａと第１回転刃２１ｂの間と、第１回転刃２１ｂと第１回転刃２１ｃの間に限定され、左右両端側の第１回転刃２１ａ、第１回転刃２１ｃよりも外側には十分な張力が及ぼされない。このため、従来技術では、図６、７において円形で囲った箇所で示したように、裁断後の名刺３１の隅に角Ｘを生じさせていた。そこで、本実施形態では、上述のように、各スリッター裁断部の間で用紙２を押さえる第１用紙押さえ部３８を備えるとともに、さらに、スリッター裁断部よりも外側で用紙２の端を押さえる第２用紙押さえ部５１を備える。そして、第２用紙押さえ部５１によって、裁断時に用紙２の端にも十分な張力を伝えて、用紙２を幅方向に均一に支持して、全体的に弛みを生じさせないようにしている。この結果、本考案は、図６、７に示した従来技術と異なり、最終的に得られる名刺３１を極めて正確な長方形状に裁断して、この隅に角Ｘが生じることを防ぐので、商品の質を格段に向上させている。最終的に得られた名刺３１は、図５に示した排出ローラ３２の対から排出される。
【００１８】
好ましくは、第２用紙押さえ部５１は、回転軸１８と共に回転するように構成されて、滑らかに用紙２を加圧する。具体的には、第２用紙押さえ部５１はローラであり、回転軸１７、１８の少なくとも一方の端部側に取付けられる。図２を参照すると、ローラ５１は円筒形状に形成され、周面を面一にしており、裁断時に用紙２の表面に均一に張力を及ぼす。特に、第１用紙押さえ部３８と第２用紙押さえ部５１とを夫々同じ径を有する円筒形状に形成する場合、図２の点線で示すラインに沿って、端から端まで用紙２を幅方向に均一に挟持するので、名刺３１の表面が水平になることを確保できる。但し、第２用紙押さえ部５１の一方は、回転軸１８と共に回転する転圧ローラの形態に限定されず、他、板ばね等を用いて構成されて、弾力的に用紙２の端を支持するように構成することは可能である。
【００１９】
より好ましくは、図２に示すように、第２回転軸１８の端部側にだけ、第１回転刃２１ｃと相対するようにローラ５１を配置して、点線で示すように、第１回転刃２１ｃとローラ５１の間で用紙２の端を挟持させる。即ち、第１回転刃２１ｃは厚刃２１ｃであって、一方の端部側（回転軸１７の軸方向の内側）で第２回転刃２４ｄと周縁同士を互いに摺接させてスリッター裁断を行うが、さらに、他方の端部側（回転軸１７の軸方向の外側）でローラ５１と円筒形状面同士を互いに摺接させて、これらの間に用紙２の端を挟持させる。この場合、両方の回転軸１７、１８に一対のローラ５１、５１を配するのではなく、回転軸１７上の既存の厚刃２１ｃを利用して、片方の回転軸１８にだけ新たにローラ５１を配するので、部品点数を最小にできる。ローラ５１と厚刃２１ｃの重なりは、用紙２の端を押さえられる程度であれば足り、例えば、３ｍｍ以上重なり合うものとする。但し、第１回転軸１７と第２回転軸１８の双方の端部側に、夫々ローラ５１、５１を対向して設置して、これらローラ５１の間で用紙２の端を挟持させることは可能である。このことは、例えば、用紙２の端の幅が大きく、十分な長さにわたって用紙２の端を保持することが望まれる場合に効果的となる。この場合、例えば、第１回転刃２１ｃを外側から保持するボス２３の外径を拡径させて、第２用紙押さえ部５１として利用できるようにしてもよい。
【００２０】
第２用紙押さえ部を構成する一方のローラ５１の材質は、対に作用する他方のローラ５１の材質と異なるようにするのが望ましい。図２に示した実施形態では、第１回転刃２１ｃとローラ５１の双方の円筒形状面の間で用紙２の端を挟持させているが、双方の材質は相違する。例えば、第１回転刃２１ｃの材質は鋼（冷間ダイス鋼や、これに類するもの）であり、ローラ５１の材質は、ゴムやエラストマー、合成樹脂等の弾力性を有するものとすることで、第１回転刃２１ｃに対する押圧力を高めている。この組合せは、耐摩耗、耐衝撃、振動吸収に優れ、用紙押さえ部５１としての所望の効果を期待できる。
【００２１】
図３を参照すると、第２回転軸１８上に固定できるように、ローラ５１の本体の中心部に取付け用の円形状の孔５３を設けることが示されている。ローラ５１の取付けの仕方は、様々に構成できるが、例えば、孔５３の内面を面一にして、ローラ５１を第２回転軸１８上で所定位置まで滑動できるようにしてもよい。この際、第２回転軸１８の端部側に縮径部を設けるとともに、この径の変化に対応して、ローラ５１の孔５３の内径に縮径部を設けて、第２回転軸１８の所定位置でローラ５１を容易に位置決めできるようにしてもよい。または、キーを用いて、第２回転軸１８の所定位置でローラ５１を位置決めすることは可能である。さらに、ローラ５１の孔５３の内面上にめねじを設けるとともに、第２回転軸１８の外面上に対応するおねじを設けて、第２回転軸１８上でローラ５１を螺合させることで、第２回転軸１８の端部側にローラ５１を固定することは可能である。他、任意の手段からローラ５１を取付けてもよい。図３を参照すると、さらに、ローラ５１の外側にホルダー５５を取付けて、ローラ５１を第２回転軸１８上で保持させて、常時、ローラ５１が回転軸１８と一体に、所定位置で回転することを確保している。
【００２２】
好適な実施形態では、図２に示したように、ローラ５１は円筒形状に形成され、この周面を面一にして、用紙２の表面を均一に押圧接する。このように、ローラ５１を回転軸に取付けるだけで、裁断されながら搬送されていく用紙を端部において押圧保持することができるので、裁断時における用紙端部におけるたわみを防止できる。これによって、裁断過程での用紙のたわみによって生ずる搬送方向後端部における裁断線のズレを防止できるので、角Ｘの発生を防止することができる。また、比較的に簡単にローラ５１を第２回転軸１８上に取付けることができるので、製造時やメンテナンス時に組付け性に優れる。また、従来のカード裁断装置Ａの内部構成をほとんど代えることなく、ローラ５１を加えるので、既存の設備を活用できる。特に、厚刃２１ｃと相対してローラ５１を設けることで、第２用紙押さえ部を構成する場合、新たに付け加える構成要素や構成上必要とされるスペースを最小にして、カード裁断装置Ａのコンパクト化に寄与できる。さらに、以上のように構成されることで、複雑な機構や制御等を組み込むことなく、完全な形で名刺を作成するカード裁断装置Ａを提供できる。また、この構成では、ノイズの発生がなく、カード裁断装置Ａの静寂化に寄与できる。従って、本考案は、実施上、極めて優れたものとなっている。
【００２３】
以上、本考案の好適な実施の形態に係るカード裁断装置Ａについて、添付した図を用いて説明したが、これら図は、本考案の実施形態について例示したものであり、本考案の範囲を限定させるものではない。例えば、第２用紙押さえ部５１は、円筒形状に形成されて、この周面から用紙２の端を押圧接するが、この周面は面一でなくてもよく、外径を変化させて、裁断後の用紙２の端を外に逃す溝を備えていてもよい。例えば、図４に示すように、第２用紙押さえ部５１は、円錐台形状に形成されて、この傾斜面５７を利用して裁断後の用紙２の端を外に逃しやすくしてもよい。この場合、第２用紙押さえ部５１は、裁断時に用紙２の端を押圧接する機能の他、裁断された用紙２の端を速やかに回収させる機能を合わせ持つことができる。裁断後の用紙２の端は、縦方向裁断部１５の下方に配した図示せぬ余白箱に落下して収納される。尚、図４は説明を容易にするための概略図であり、傾斜面５７の傾斜角度や長さは、適宜、実施形態に応じて定められる。
【００２４】
さらに、本考案に係る他の実施形態では、カード裁断機Ａは、用紙２を搬送方向にのみ裁断するように構成されていてもよい。この場合、例えば、帯状のカードを作成する構造のものにも本考案を適用できる。
さらに、本考案に係る他の実施形態では、第１用紙押さえ部３８を省くことができる。この場合例えば、第２用紙押さえ部５１によって、用紙２の左右の端を押圧することで、用紙２を左右の幅方向に十分な張力を加えることができる場合に適用できる。
さらに、本考案に係る他の実施形態では、一方の回転軸に用紙押さえ用のローラを設けて、搬送中の用紙２の端部が載置される載置台に対して転圧する様にしてもよい。このローラは、厚刃２１を利用してもよい。
さらに、本考案に係る他の実施形態では、厚刃２１と用紙押さえ用のローラ５１との間で用紙２を挟むのではなく、厚刃２１とは別に用紙押さえ用のローラを回転軸に取付けてもよい。
他、添付した実用新案登録請求の範囲内で、本考案に対して様々な修正等を加えることは可能である。
【図面の簡単な説明】
【００２５】
【図１】本考案に係わるカード裁断装置のスリット裁断部を示す図である。
【図２】図１に示した右端部側の第１回転刃と第２回転刃の周辺部について拡大して示す図である。
【図３】図１に示した右端部側の第２回転刃を支持するサブアセンブリの周辺部の分解斜視図である。
【図４】図２と類似するが、他の実施形態の第２用紙押さえ部について示す図である。
【図５】カード裁断装置の一例を示した断面図である。
【図６】カード用紙の印刷又は印字形態を示す図である。
【図７】カード用紙の他の印刷又は印字形態を示す図である。
【符号の説明】
【００２６】
Ａ カード裁断装置
Ｓ１〜Ｓ３ センサ
２ 用紙
１１ 横方向裁断部
１１ａ、ｂ 切断刃
１５ 縦方向裁断部（スリッター裁断部）
１７、１８ 回転軸
２１、２４ 回転刃
２３、２６ ボス
３１ カード（名刺）
３７ スプリング
３８ 第１用紙押さえ部（ローラ）
４０ サブアセンブリ
４１ スプリングホルダー
４３ ホルダースペーサ
４５ 薄刃ホルダー
５１ 第２用紙押さえ部（ローラ）
５３ 孔
５５ ホルダー
【図１】
0003156322.tif 000003
【図２】
0003156322.tif 000004
【図３】
0003156322.tif 000005
【図４】
0003156322.tif 000006
【図５】
0003156322.tif 000007
【図６】
0003156322.tif 000008
【図７】
0003156322.tif 000009